(57)【要約】【課題】  外部機器と接続した場合に高い放送受信感度を有する携帯無線端末及び外部装置を提供すること。【解決手段】  ループ素子７を下部筐体２内に配置する。ループ素子７を整合回路８を介して高周波スイッチ９に接続する。ロッドアンテナ素子１３を表示装置１０表面に配置する。ロッドアンテナ素子１３を給電線１４及び整合回路１５を介して高周波スイッチ９に入力する。アンテナ切替制御部１７は放送受信回路１６における受信信号強度を検出し、その受信信号レベルに応じて高周波スイッチ９を切り替えるように動作する。【選択図】  図１
2006135845.tif 000002
【特許請求の範囲】
【請求項１】
放送受信回路を備えた携帯無線端末と、
前記携帯無線端末に着脱可能に接続される外部装置と、
前記外部装置に設けられた外部放送受信用アンテナと、
前記携帯無線端末と前記外部装置とを電気的に接続するケーブルとを備え、
前記外部装置を接続した場合に前記放送受信用アンテナと前記放送受信回路とが接続されることを特徴とする携帯無線端末装置。
【請求項２】
前記携帯無線端末に第１の放送受信用アンテナを備え、
前記外部放送受信用アンテナは前記第１の放送受信用アンテナの利得よりも高い利得を有し、
前記第１の放送受信用アンテナと前記外部放送受信用アンテナとで受信された信号を選択して前記放送受信回路に入力するアンテナ切替手段を前記携帯無線端末に備えたことを特徴とする請求項１記載の携帯無線端末装置。
【請求項３】
前記ケーブルが前記携帯無線端末に接続されていない場合には前記第１の放送受信用アンテナで受信された信号を前記放送受信回路に入力し、前記ケーブルが前記携帯無線端末に接続されている場合には前記外部放送受信用アンテナで受信された信号を前記放送受信回路に入力するように前記アンテナ切替手段を制御することを特徴とする請求項２記載の携帯無線端末装置。
【請求項４】
前記放送受信回路で受信される受信電界強度が高い方のアンテナを選択するように前記アンテナ切替手段を制御することを特徴とする請求項２記載の携帯無線端末及び外部装置。
【請求項５】
前記放送受信回路の受信誤り率が低くなるように前記アンテナ切替手段を制御することを特徴とする請求項２記載の携帯無線端末装置。
【請求項６】
前記アンテナ切替手段の切替制御を使用者の操作によって行うことを特徴とする請求項２記載の携帯無線端末装置。
【発明の詳細な説明】
【技術分野】
【０００１】
本発明は、放送受信機能を有する携帯電話の放送受信用アンテナに関する。
【背景技術】
【０００２】
テレビジョン受信機能が搭載された携帯電話のテレビジョン受信用アンテナとしては、モノポールアンテナと電池とでダイポールアンテナを構成し、受信機に対して垂直に配置されている構成が知られている（例えば、特許文献１）。
【０００３】
また、人体装着時での使用状態に対応して、２つのループアンテナを直交するように配置し、偏波を切り替える構成が知られている（例えば、特許文献２）。
【０００４】
また、携帯電話本体で受信したテレビジョン放送を端末に内蔵された画面で表示するだけでなく、ケーブルにより外部の表示装置と接続し、より大きな画面でテレビジョン放送を視聴できるようにした構成も一般に知られている。
【特許文献１】特開２００１−２５１１３１号公報
【特許文献２】特開平１０−８４２０９号公報
【発明の開示】
【発明が解決しようとする課題】
【０００５】
しかしながら、前記従来のアンテナでは、主偏波が垂直偏波であるためテレビジョン放送電波において主流である水平偏波に対する感度を高くできないほか、２種類のアンテナが共に端末本体に配置されているため、近年では端末内部の部品配置の高密度化が進んでいることから十分なアンテナ特性が得られにくいという課題があった。
【０００６】
また、前記従来のアンテナでは、主偏波方向を２つの異なる方向へ切り替えることは可能であるが、特に使用者が携帯電話を手で保持した状態や、携帯電話を人体に近接した場合や人体から離した場合などの様々な使用状態に対応して最適なアンテナ性能を確保できるように考慮されていないという課題があった。
【０００７】
また、ケーブルを接続して外部の表示装置にテレビジョン放送の映像を出力した場合には、外部の表示装置の画面サイズ（通常、約１０インチ以上）が端末本体の画面サイズ（通常、約２インチ）と比較して大きく、受信したテレビジョン放送の信号劣化がより顕著に使用者に体感されるため、テレビジョン放送の受信感度を向上させる必要がある。
【０００８】
本発明は、上記事情に鑑みてなされたものであり、その目的は、外部装置を接続する場合に放送受信用アンテナを選択でき、より高い感度を有する携帯無線端末を提供することにある。
【課題を解決するための手段】
【０００９】
上記目的を達成するために、本発明に係る携帯無線端末装置は、放送受信回路を備えた携帯無線端末と、携帯無線端末に着脱可能に接続される外部装置と、外部装置に設けられた外部放送受信用アンテナと、携帯無線端末と外部装置とを電気的に接続するケーブルとを備え、外部装置を接続した場合に放送受信用アンテナと放送受信回路とが接続されることを特徴とする。
【００１０】
上記構成によれば、外部装置と接続した場合には外部装置に設けられたアンテナを使用できるため、放送受信時により高い受信感度が得られる。
【００１１】
また、携帯無線端末に第１の放送受信用アンテナを備え、外部放送受信用アンテナは前記第１の放送受信用アンテナの利得よりも高い利得を有し、第１の放送受信用アンテナと前記外部放送受信用アンテナとで受信された信号を選択して前記放送受信回路に入力するアンテナ切替手段を携帯無線端末に備えたことを特徴とする。
【００１２】
上記構成によれば、外部装置と接続した場合には外部装置に設けられたアンテナを使用できるだけでなく、端末内蔵のアンテナと併用できるため、放送受信時により高い受信感度が得られる。
【００１３】
また、ケーブルが携帯無線端末に接続されていない場合には第１の放送受信用アンテナで受信された信号を放送受信回路に入力し、ケーブルが携帯無線端末に接続されている場合には外部放送受信用アンテナで受信された信号を放送受信回路に入力するようにアンテナ切替手段を制御することを特徴とする。
【００１４】
上記構成によれば、外部装置と接続した場合には自動的に外部機器に設けたアンテナを使用できるため、放送受信時により高い受信感度が得られる。
【００１５】
また、放送受信回路で受信される受信電界強度が高い方のアンテナを選択するようにアンテナ切替手段を制御することを特徴とする。
【００１６】
上記構成によれば、外部装置と接続した場合には外部機器に設けたアンテナを使用できるだけでなく、端末内蔵のアンテナと併用し、より受信電界強度が高くなるよう自動的に制御できるため、放送受信時により高い受信感度が得られる。
また、放送受信回路の受信誤り率が低くなるようにアンテナ切替手段を制御することを特徴とする。
【００１７】
上記構成によれば、外部装置と接続した場合には外部機器に設けたアンテナを使用できるだけでなく、端末内蔵のアンテナと併用し、より受信誤り率が低くなるよう自動的に制御できるため、放送受信時により高い受信感度が得られる。
また、アンテナ切替手段の切替制御を使用者の操作によって制御することを特徴とする。
【００１８】
上記構成によれば、外部装置と接続した場合には外部機器に設けたアンテナを使用できるだけでなく、端末内蔵のアンテナと併用し、使用者の判断により使用するアンテナを選択できるため、放送受信時により高い受信感度が得られる。
【発明の効果】
【００１９】
本発明によれば、放送を視聴している状態において、外部機器と接続した場合に高いアンテナ性能が得られる。
【発明を実施するための最良の形態】
【００２０】
以下、本発明に係る携帯無線端末及び表示装置の実施の形態について、図面を参照して詳細に説明する。
【００２１】
（実施例）
図１は本発明に係る実施例の携帯無線端末及び外部装置の基本的構成図である。図１に示すように、本実施例の携帯無線端末及び外部装置は、上部筐体１及び下部筐体２がヒンジ部３によって回動可能なように支持された構造の折畳式携帯電話を基本としている。
【００２２】
上部筐体１及び下部筐体２は絶縁体である樹脂材料による成形品で構成されている。下部筐体２のヒンジ部３近傍に配置されている通信アンテナ４は、例えばヘリカルアンテナ素子で構成される携帯電話の無線通信用アンテナである。通信アンテナ４は給電線５によって送受信回路６から給電されており、送受信回路６は携帯電話の無線通信電波の送受信を行う。
【００２３】
ループ素子７はテレビジョン受信用アンテナとして動作するものであり、例えば下部筐体２内に配置される。ループ素子７は整合回路８によってテレビジョン放送周波数である４７０ＭＨｚから７００ＭＨｚ程度の範囲においてインピーダンス整合が取られる。
高周波スイッチ９は、例えばＰＩＮダイオードやＦＥＴ(Field Effect Transistor)で構成される高周波切替回路であり、高周波スイッチ９の出力が放送受信回路１６に入力される。放送受信回路１６はテレビジョン放送波の受信を行う受信回路である。
【００２４】
表示部２０は、上部筐体１の表面に配置された液晶表示装置である。放送受信回路１６から出力された映像信号が画像処理部１８に入力されて、画像処理部１８がヒンジ部３を経由する液晶表示信号１９により表示部２０の画像表示を制御する。
【００２５】
外部装置である表示装置１０の表面には、ロッドアンテナ素子１３と表示部２２とスピーカー部２５と操作ボタン部２６等が配置されている。放送受信回路１６から出力された映像信号が画像処理部１８に入力されて、画像処理部１８が映像出力ケーブル１１内を経由する表示信号２１により表示部２２の画像表示を制御する。
【００２６】
ロッドアンテナ素子１３は、回動可能な状態で表示装置１０の表面に取り付けられ、伸縮構造となっており、伸長させた場合の長さは、例えば、５０ｃｍ程度に設定される。この長さはテレビジョン受信帯域において、約１波長となる。ロッドアンテナ素子１３は給電線１４により下部筐体２に配置された整合回路１５によってテレビジョン放送周波数である４７０ＭＨｚから７００ＭＨｚ程度の範囲においてインピーダンス整合が取られる。
【００２７】
このように構成されたロッドアンテナ素子１３の利得は、ループ素子７などのように携帯無線端末に搭載されたアンテナ素子の利得よりも数ｄＢ、例えば３〜５ｄＢ高くなる。
表示部２２は、液晶表示装置やＣＲＴ(Cathod Ray Tube) といった表示装置であり、例えば約１０インチ型と、上部筐体１に配置された表示部２０と比較して格段に大きな画面サイズである。
【００２８】
操作ボタン部２６は、使用者の入力操作を操作ボタン信号２７経由でリモコン制御部２８に伝達し、例えば音量や受信チャンネルの変更、電話着信時の通話開始といった、端末の操作を行うことができる。
【００２９】
映像出力ケーブル１１は、下部筐体２と表示装置１０を接続しており、給電線１４及び表示信号２１、音声信号２４、操作ボタン信号２７を伝送する。
【００３０】
ここで、映像出力ケーブル１１がコネクタ１２に接続されている状態では表示装置に配置されたロッドアンテナ素子１３を選択するように構成すれば、大型の表示部２２でテレビジョン放送を受信する場合に高い利得を有する高性能アンテナにより安定した受信が可能になり、高画質の映像を見ることが可能となる。
【００３１】
一方、図２に示す映像出力ケーブル１１がコネクタ１２に接続されていない状態では携帯無線端末に内蔵されたループ素子７を選択するように構成すれば、コンパクトな携帯端末のみでテレビジョン放送映像を見ることができ、この場合の受信性能は表示装置１０のロッドアンテナ素子１３を使用した場合に比較して低くなるが、小型な表示部２０による映像視認には十分な受信性能が得られる。
【００３２】
また、アンテナ切替制御部１７は放送受信回路１６における受信信号強度を検出し、その受信信号レベルに応じて高周波スイッチ９を切り替えるように動作する。例えば、ループ素子７又はロッドアンテナ素子１３のいずれかのうち、受信信号レベルが高い方のアンテナを選択するようにアンテナ切替制御部１７を動作させるように構成すれば、常にアンテナ特性が高い方の素子を選択することができる。
【００３３】
この実施例では、また、ループ素子７のループ開口面は下部筐体２の幅方向（図１においてＹ軸方向）に平行に配置される。このように構成されることで、ループ素子７の放射特性として、下部筐体２の幅方向に平行、すなわち図１に示す配置において水平方向（Ｙ軸方向）の水平偏波特性が得られる。
【００３４】
表示装置１０を接続しない場合には、テレビジョン放送をループ素子７でしか受信できないが、ループ素子７は磁界モードアンテナとして動作するため、人体との間隔が約０．２波長程度以下となる範囲においては、人体が反射体として動作するとともに人体との電磁的相互作用によって放射抵抗が高くなるため放射効率が改善し、人体近傍において利得が向上する人体効果が発生するため、下部筐体２を使用者が手で持って視聴する状態に適している。
【００３５】
なお、ループ素子の配置方向は本実施例のものに限らず、例えばループ開口面が下部筐体２の長手方向に平行に配置された場合には、偏波ダイバーシチの効果は低くなるが、人体影響に対する切替効果は得られる。
また、本実施例においては、携帯無線端末に内蔵する放送受信用アンテナをループ素子としたが、モノポールアンテナ、ヘリカルアンテナ、ダイポールアンテナ、板状アンテナ等、いかなる形式のアンテナとしてもよい。
【００３６】
また、本実施例においては、表示装置に配置する放送受信用アンテナを伸縮可能なロッドアンテナ素子としたが、伸縮構造を有しないロッドアンテナ、モノポールアンテナ、ヘリカルアンテナ、ダイポールアンテナ、板状アンテナ等、携帯無線端末に内蔵する放送受信用アンテナよりも高いアンテナ性能を有すればいかなる形式のアンテナとしてもよい。
【００３７】
また、複数のアンテナを切り替える方法として、受信レベルに応じて切り替える方法に限らず、例えば受信データの誤り率に応じて切り替える方法や、ユーザが携帯電話の操作又は表示装置１０に配置された操作ボタン部２６によって切り替えるような構成にしてもよい。
【００３８】
また、本実施例においては、外部装置を表示装置とする構成を示したが、モニター、パーソナルコンピュータ、ビデオデッキ、映像保存機器等、いかなる外部機器であっても同様の効果を有する。
【００３９】
また、本実施例においては、コネクタを携帯電話の下部筐体に配置する構成を示したが、上部筐体に配置した場合でも同様な効果が得られることは言うまでもない。
【００４０】
また、本実施例においては、折畳式携帯電話における構成を示したが、上部筐体と下部筐体に分割されていないストレート型携帯電話、下部筐体に垂直に設けられた回転軸によって回動可能に上部筐体を設け、上部筐体に備えられた表示部を縦、横自在に向きを変えることができるようにしたもの等、いかなる形状の携帯電話においても同様な効果が得られることは言うまでもない。
【産業上の利用可能性】
【００４１】
以上のように、本発明に係る携帯無線端末及び表示装置は、テレビジョン放送を視聴している状態において、外部装置を接続する場合に放送受信用アンテナを選択でき高いアンテナ性能が得られるので、携帯無線端末の放送受信性能の改善が可能となる。
【図面の簡単な説明】
【００４２】
【図１】実施例に係る携帯無線端末及び外部表示装置の基本構成図
【図２】実施例に係る携帯無線端末及び外部装置の外部装置を接続しない場合の構成図
【符号の説明】
【００４３】
１  上部筐体  
２  下部筐体
３  ヒンジ部
４  通信アンテナ
５  給電線
６  送受信回路
７  ループ素子
８  整合回路
９  高周波スイッチ
１０  表示装置
１１  映像出力ケーブル
１２  コネクタ
１３  ロッドアンテナ素子
１４  整合回路
１５  給電線
１６  放送受信回路
１７  アンテナ切替制御部
１８  画像処理部
１９  液晶表示信号
２０  表示部
２１  表示信号
２２  表示部
２３  音声処理部
２４  音声信号
２５  スピーカー
２６  操作ボタン部
２７  操作ボタン信号
２８  リモコン制御部
【図１】
2006135845.tif 000003
【図２】
2006135845.tif 000004